(57)【特許請求の範囲】
【請求項１】
一端側に生体試料検出センサのセンサ装着部を有する本体ケースと、
前記本体ケース内で前記センサ装着部に接続されている測定部と、
前記測定部に接続されている制御部と、
前記本体ケースの外表面に設けられているタッチ入力式の表示部と、を備え、
前記制御部は、前記表示部を、測定値を表示する第１の表示エリアと、操作ボタンを表示する第２の表示エリアに分割し、
前記制御部は、前記第２の表示エリアに表示された前記操作ボタンを拡大表示する操作ボタン拡大モードを有し、前記操作ボタン拡大モードでは、前記第１の表示エリアを縮小するとともに、前記第２の表示エリアを拡大し、拡大した前記第２の表示エリアに、前記操作ボタンを拡大して表示する、
生体試料測定装置。
【請求項２】
前記制御部は、前記操作ボタン拡大モード時に、前記操作ボタンを、拡大した前記第２の表示エリア内でスクロール表示させる、
請求項１に記載の生体試料測定装置。
【請求項３】
前記制御部は、前記操作ボタン拡大モード時に、前記操作ボタンの拡大表示中を示す表示を行う、
請求項１または２に記載の生体試料測定装置。
【請求項４】
前記操作ボタンの拡大中を示す表示は、縮小された前記第１の表示エリアと拡大された前記第２の表示エリアとの間の境界認識線により行われる、
請求項３に記載の生体試料測定装置。
【請求項５】
前記制御部に接続され前記本体ケースの姿勢を検出する加速度センサをさらに備え、
前記制御部は、前記操作ボタン拡大モード中に、前記加速度センサが前記本体ケースの姿勢が変化したことを検知した時には、前記操作ボタン拡大モードを終了し、前記第１の表示エリアおよび前記第２の表示エリアを元の大きさに戻す、
請求項１から４のいずれか一つに記載の生体試料測定装置。
【発明の詳細な説明】
【技術分野】
【０００１】
本発明は、たとえば血液から血糖値のような生体情報を測定する生体試料測定装置に関するものである。
【背景技術】
【０００２】
従来のこの種、生体試料測定装置は、一端側にセンサ装着部を有する直方体形状の本体ケースと、この本体ケース内でセンサ装着部に接続された測定部と、この測定部に接続された制御部と、本体ケースの外表面に設けられた長方形状の表示部とを備えていた。
そして、表示部の周辺に設けられた操作ボタンを用いて、生体試料測定装置の各種操作を行っていた（例えば、特許文献１参照）。
【０００３】
従来の生体試料測定装置においては、機械式の操作ボタンが表示部の周辺に配置されているが、近年における生体試料測定装置の高機能化に伴って、この操作ボタンに多くの機能が割り当てられていることがある。そのため、この操作ボタンが何を操作するボタンなのかを、測定者が直感的に把握することができず、使い勝手が悪かった。
【先行技術文献】
【特許文献】
【０００４】
【特許文献１】国際公開第２００７／１１８０４６号公報
【発明の概要】
【発明が解決しようとする課題】
【０００５】
近年における生体試料測定装置の高機能化に伴って、タッチ入力式の表示部に、多くの操作ボタンを表示させると、それぞれの操作ボタンが小さくなり、使用者にとっては「操作が行いにくい。」と感じることがあった。
そこで本発明は、使い勝手を良くすることを目的とする。
【課題を解決するための手段】
【０００６】
本発明の生体試料測定装置は、本体ケースと、測定部と、制御部と、表示部と、を備える。本体ケースは、一端側に生体試料検出センサのセンサ装着部を有する。測定部は、本体ケース内でセンサ装着部に接続されている。制御部は、測定部に接続されている。表示部は、本体ケースの外表面に設けられており、タッチ入力式である。
制御部は、表示部を、測定値を表示する第１の表示エリアと、操作ボタンを表示する第２の表示エリアに分割する。
【０００７】
制御部は、第２の表示エリアに表示された操作ボタンを拡大表示する操作ボタン拡大モードを有する。
制御部は、操作ボタン拡大モードでは、第１の表示エリアを縮小するとともに、第２の表示エリアを拡大し、拡大した第２の表示エリアに、操作ボタンを拡大して表示する。
このように、本発明の生体試料測定装置では、操作ボタン拡大モードになると、第１の表示エリアを縮小させると共に、この縮小された部分にまで第２の表示エリアを拡大する。そして、この拡大した第２の表示エリアに操作ボタン自体も拡大して表示される。
【０００８】
その結果として、使用者は拡大されたボタンを容易に操作することができるので、操作性を向上させることができる。
【図面の簡単な説明】
【０００９】
【図１Ａ】図１Ａは、本発明の第１の実施の形態における生体試料測定装置の平面図である。
【図１Ｂ】図１Ｂは、本発明の第１の実施の形態における生体試料測定装置の平面図である。
【図２】図２は、本発明の第１の実施の形態における生体試料測定装置の制御ブロック図である。
【図３】図３は、本発明の第１の実施の形態における生体試料測定装置の問題例を示す平面図である。
【図４】図４は、本発明の第１の実施の形態における生体試料測定装置の動作フローチャートである。
【図５Ａ】図５Ａは、本発明の第１の実施の形態における生体試料測定装置の平面図である。
【図５Ｂ】図５Ｂは、本発明の第１の実施の形態における生体試料測定装置の平面図である。
【図５Ｃ】図５Ｃは、本発明の第１の実施の形態における生体試料測定装置の平面図である。
【図６】図６は、本発明の第２の実施の形態における生体試料測定装置の平面図である。
【図７】図７は、本発明の第２の実施の形態における生体試料測定装置の平面図である。
【図８】図８は、本発明の第２の実施の形態における生体試料測定装置の平面図である。
【図９】図９は、本発明の第２の実施の形態における生体試料測定装置の平面図である。
【図１０】図１０は、本発明の第２の実施の形態における生体試料測定装置の平面図である。
【図１１】図１１は、本発明の第２の実施の形態における生体試料測定装置の平面図である。
【図１２】図１２は、本発明の第２の実施の形態における生体試料測定装置の平面図である。
【図１３】図１３は、本発明の第２の実施の形態における生体試料測定装置の平面図である。
【図１４】図１４は、本発明の第２の実施の形態における生体試料測定装置の平面図である。
【発明を実施するための形態】
【００１０】
以下本発明の実施の形態における生体試料測定装置について、図面を用いて説明する。
（第１の実施の形態）
図１、図２に示すように、生体試料測定器の一例である、血液から血糖値を測定する血糖値測定器の本体ケース１は、ほぼ直方体形状に形成されている。本体ケース１の一端側には、生体試料検出センサの一例である血糖値センサ２の接続端子２Ａを挿入するセンサ装着部３が設けられている。また本体ケース１の外表面には、その上面側のほぼ全面に、タッチ入力式で長方形状の表示部４が設けられている。なお、この表示部４の長手方向と本体ケース１の長手方向は、同一方向としている。
【００１１】
また本体ケース１の内部では、センサ装着部３に測定部５が電気的に接続されており、この測定部５に制御部６が接続されている。この制御部６には、表示部４、電源７、加速度センサ８が接続されている。なお、加速度センサ８は、３軸の加速度センサであり、本体ケース１内のほぼ中央部に配置されて、本体ケース１の姿勢を検知する。
血糖値センサ２の接続端子２Ａをセンサ装着部３に挿入し、血糖値センサ２の一端側の点着部９に血液を点着すると、測定部５によって血糖値が測定され、制御部６が、測定した血糖値を表示部４に表示する。
【００１２】
表示部４は、測定した血糖値を表示するための測定値表示エリアである第１の表示エリア４ａと、操作ボタンを表示するためのボタン表示エリアである第２の表示エリア４ｂがある。第１の表示エリア４ａと第２の表示エリア４ｂは表示部４の長手方向の左右に分割されて配置されている。また、第１の表示エリア４ａはセンサ装着部３側に配置され、第２の表示エリア４ｂはセンサ装着部３側と反対側に配置されている。なお、第１の表示エリア４ａは、測定した血糖値を表示するため、第２の表示エリア４ｂよりも大きな面積を有する。
【００１３】
図１を用いて表示の一例を説明する。測定値表示エリアである第１の表示エリア４ａには、血糖値を示す値が＜２３４ｍｇ／ｄＬ＞と表示され、ボタン表示エリアである第２の表示エリア４ｂには、その上段に＜ＯＫ＞ボタン、下段に＜Ｎｏｔｅ＞ボタンが表示されている。表示部４は、上述のごとくタッチ入力式であるので、測定者が、たとえば、＜ＯＫ＞ボタンに触れると、制御部６の入力判定部１０は＜ＯＫ＞ボタンが押されたと判断し、制御部６により測定は終了する。また、測定者が、＜Ｎｏｔｅ＞ボタンに触れると、制御部６の入力判定部１０は＜Ｎｏｔｅ＞ボタンが押されたと判断し、制御部６により測定の履歴が表示される。
【００１４】
このように、表示部４は、そのボタン表示エリアである第２の表示エリア４ｂに、使用状況に応じた機能を表す操作ボタンをグラフィカルに表示するので、測定者は、操作ボタンの機能を直感的に理解でき、使い勝手が良い。
さらに、本実施の形態においては、上述のごとく、表示部４の第２の表示エリア４ｂは、センサ装着部３側と反対側に配置されている。図３に示すように、センサ装着部３側に第２の表示エリア４ｂを配置して操作ボタンを表示すると、測定者が操作ボタンを操作する時に、血液が点着された血糖値センサ２に、測定者の手１２が誤って触れてしまうことがある。これに対して、本実施の形態においては、図１Ａ、図１Ｂに示すように、操作ボタンは、センサ装着部３側と反対側に配置された第２の表示エリア４ｂに表示されるので、操作ボタンの操作中に、使用者の指などが、血液が点着された血糖値センサ２に触れることはない。
【００１５】
その結果として、使い勝手の良い生体試料測定装置を提供することができる。
また、本実施の形態においては、図１Ａに示す状態から、図１Ｂに示す状態へと、本体ケース１の姿勢が左右反転した時には、本体ケース１内の加速度センサ８が、本体ケースの姿勢が左右反転したことを検知する。加速度センサ８の信号を制御部６が受けて、測定値表示エリアである第１の表示エリア４ａの血糖値の表示が第１の表示エリア４ａ内で１８０度回転する。加えて、ボタン表示エリアである第２の表示エリア４ｂの操作キーの表示が第２の表示エリア４ｂ内で１８０度回転する。そのため、測定者からみて表示の上下方向が正しい状態となり、その結果として、使い勝手の良い生体試料測定装置を提供することができる。
【００１６】
この動作について、図１、図２、図４を用いて詳細に説明する。
測定者が血糖値の測定を行う時には、まず血糖値センサ２の接続端子２Ａをセンサ装着部３に挿入する。測定者が左利きの場合、測定者は自分の右手に穿刺針（図示せず）などを穿刺して血液を出し、左手で本体ケース１を持って血糖値センサ２の点着部９に血液を点着して、血糖値の測定を行う。しかし、同じ右手にばかりに穿刺針を穿刺すことはできないので、左手に穿刺針を穿刺し、右手で本体ケース１を持って、図１Ａに示す状態で血糖値を測定することがある。そして、左手から出た血液が、血糖値センサ２の点着部９に点着されると、測定部５によって血糖値が測定される。
【００１７】
すると、制御部６の表示制御部１１によって、センサ装着部３側の測定値表示エリアである第１の表示エリア４ａには、測定された血糖値が表示され、センサ装着部３とは反対側のボタン表示エリアである第２の表示エリア４ｂには、この時の適切な機能を示す操作ボタンが表示される。なお、この表示制御部１１によって、第１の表示エリア４ａおよび第２の表示エリア４ｂの表示が適切に行われる。
【００１８】
この時、本体ケース１内の加速度センサ８は、３軸の加速度センサであるので本体ケース１の姿勢を判断し、より具体的には制御部６が加速度センサ８の信号を受けて本体ケース１の左右方向を判断し、測定者からみて表示の上下方向が正しい状態となるように表示部４の表示を行う。
ここで、右手で本体ケース１を持って、血糖値を測定してきた左利きの測定者は、使い慣れた状態で操作ボタンを操作するため、利き手である左手に本体ケース１を持ち替える。つまり測定者から見て図１Ａの状態から図１Ｂの状態に持ち替える時がある。
【００１９】
この時の制御部６の動作を、図４の動作フローチャートを用いて説明する。
本実施の形態においては、図１Ａの状態から図１Ｂの状態に変化する時、つまり表示部４の表示が左右逆になるように本体ケース１が１８０度回転した時には、制御部６は、本体ケース１内の加速度センサ８の信号を受けて、本体ケース１の姿勢を検出し現在の本体ケース１の姿勢が左右反転したことを検知する（ステップＳ１）。
【００２０】
そして、測定者から見て左右方向が逆になったと判断した時（ステップＳ２）には、第１の表示エリア４ａに表示された測定値である血糖値を第１の表示エリア４ａ内で１８０度回転して表示する（ステップＳ３）。加えて、第２の表示エリア４ｂに表示された操作ボタンを第２の表示エリア４ｂ内で１８０度回転して表示し（ステップＳ４）、姿勢確認処理を終了する（ステップＳ５）。
【００２１】
このため、本実施の形態は、図１Ｂに示すごとく、測定者から見て表示の上下方向が正しい状態となるので、使い勝手の良い生体試料測定装置を提供することができる。
この時、操作ボタンの表示は、ボタン表示エリアである第２の表示エリア４ｂ内で回転するので、操作ボタンは、やはりセンサ装着部３と反対側に表示される。したがって、測定者が操作ボタンを操作する時に、測定者の指などが、血液が点着された血糖値センサ２に触れることはなく、その結果として使い勝手の良い生体試料測定装置を提供することができる。
【００２２】
なお、図４のステップＳ２で、制御部６が、本体ケース１の姿勢が左右定常状態（本実施の形態においては、図１Ａに示すように、左側にセンサ装着部３がくる状態）と判断した時には、第１の表示エリア４ａの測定値である血糖値を回転させることなく表示し（図４のステップＳ６）、第２の表示エリア４ｂの操作ボタンを回転させることなく表示し（図４のステップＳ７）、終了する（図４のステップＳ５）。
【００２３】
さらに本実施の形態においては、第２の表示エリア４ｂの操作ボタンの表示を第２の表示エリア４ｂ内で１８０度回転させる時、制御部６は、第２の表示エリア４ｂに、所定時間かけて操作ボタンを表示させる。その結果として、使い勝手の良い生体試料測定装置を提供することができる。
すなわち、生体試料測定装置を図１Ａから図１Ｂの状態とした時には、第１の表示エリア４ａと第２の表示エリア４ｂの位置関係が図１Ａと図１Ｂでは左右逆になる。そこで測定値である血糖値の表示と操作ボタンの表示が左右逆になる。測定者は表示部４の表示の中で測定値である血糖値を関心を持って見ている。図１Ａの状態で、測定者が表示部４の左側に表示されていると測定者が認識している血糖値＜２３４ｍｇ／ｄＬ＞が、図１Ｂの状態になったとき表示部４の左側に表示されていないので、測定者にとって一瞬血糖値が認識しづらい状態となる。
【００２４】
このため、本実施の形態においては、第１の表示エリア４ａの表示と第２の表示エリア４ｂの表示を、それぞれの表示エリア内で１８０度回転表示する時には、表示部４は制御部６の制御によって以下のように表示する。図５Ａに示すように、図４のステップＳ３において、まずは、第１の表示エリア４ａの血糖値表示のみを行い、第２の表示エリア４ｂの操作ボタン表示を所定時間（たとえば５秒）非表示とする。このように、表示部４に測定値である血糖値のみが表示される期間があるので、測定者は、第１の表示エリア４ａの血糖値＜２３４ｍｇ／ｄＬ＞の表示を確実に読み取ることができる。
【００２５】
この時、制御部６は、図５Ａに示すように、第１の表示エリア４ａに、測定した血糖値の読み取り方向を示すマーカを表示させる。具体的には、血糖値＜２３４＞の表示の後方で下側（つまり図５における表示部４の右側で下側方向）に、＜ｍｇ／ｄＬ＞との単位を小さく表示している。この場合、この単位の表示が読み取り方向を示すマーカとなる。したがって、測定者は、第１の表示エリア４ａにのみ表示が行われた時にも、正しい方向から＜２３４ｍｇ／ｄＬ＞と読み取ることができる。
【００２６】
その後、図４のステップＳ４において、制御部６の表示制御部１１は、図５Ａ〜図５Ｃに示すように、たとえば５秒間かけて、徐々に操作ボタンを第２の表示エリア４ｂに表示させる。
つまり、以上説明したように、本実施の形態においては、図１Ａの状態から図１Ｂの状態に本体ケース１を左右反転させた場合、測定値である血糖値の表示の前側（図５Ａ〜図５Ｃにおける左側）に操作ボタンが表示されると血糖値が見にくくなるので、血糖値をまず表示させ、その後、操作ボタンを表示させるようにしてある。
【００２７】
なお、操作ボタンは、図１Ａ、図１Ｂにおいて、表示部４の長手方向に直交する方向に、ＯＫボタン、Ｎｏｔｅボタンを並べた状態で表示している。本実施の形態においては、この上下の組み合わせは一体となって反転するので、図１Ａの状態でも、図１Ｂの状態でも必ず上方にＯＫボタン、下方にＮｏｔｅボタンが表示される。
このため、測定者は、第１の表示エリア４ａの血糖値を確実に読み取った後、第２の表示エリア４ｂに表示された操作ボタンを用いて各種機能を実施することができる。
【００２８】
このため、血糖値を確実に読み取った後、適切に操作ボタンを操作できる。その結果として、使い勝手の良い生体試料測定装置を提供することができる。
操作ボタンが表示されると、制御部６は一連の処理を終了する（図４のステップＳ５）。
（第２の実施の形態）
第２の実施の形態における生体試料測定装置は、第１の実施の形態における生体試料測定装置の制御部６に、操作ボタン拡大モードを設け、第２の表示エリア４ｂに多数の操作ボタンが表示された時の操作性を向上させている。
【００２９】
操作ボタン拡大モードについて一例を挙げて説明する。図６に示すように、血糖値の測定時に記録する情報として、食事から測定までの経過時間があり、本実施の形態における生体試料測定装置では、複数の操作ボタンにより記録する経過時間を選択できるようになっている。具体的には、操作ボタン「３０分」、操作ボタン「１時間」、操作ボタン「１時間３０分」、他の時間選択の操作ボタン「ｍｏｒｅ．．．」と、第２の表示エリア４ｂに複数の操作ボタンが表示されている。
【００３０】
このように、第２の表示エリア４ｂ内に多くの操作ボタンを表示させると、それぞれの操作ボタンが小さくなり、使用者によっては「操作が行いにくい。」と感じることがある。
そこで、本実施の形態においては、制御部６に操作ボタン拡大モードを設け、図７、図８に示すように操作ボタンを拡大表示する。これにより、操作性を向上させている。
【００３１】
より具体的に説明を行うと、図７に示すように、使用者が、たとえば親指と人差し指を第２の表示エリア４ｂに同時に当接させ、親指と人差し指を押し広げる動作を行うと、制御部６の入力判定部１０がこの動作を拡大指示と判定する。本実施の形態においては、この拡大指示が判定されると、制御部６は、操作ボタン拡大モードとなる。
そして、表示制御部１１を用いて、図８に示すように、第１の表示エリア４ａを、センサ装着部３方向に縮小させるとともに、この収縮させた部分にまで第２の表示エリア４ｂを拡大する。そして、この拡大した第２の表示エリア４ｂに、操作ボタン自体も拡大して表示する。
【００３２】
このため、使用者は、拡大されたボタンを容易に操作することができる。
なおこの時、第２の表示エリア４ｂは、第１の表示エリア４ａよりも大きな面積を有する構成となっているが、操作ボタンは、やはりセンサ装着部３側と反対側の第２の表示エリア４ｂに表示される。このため、使用者の指などが、操作ボタンの操作中に血液が点着された血糖値センサ２に触れることはない。
【００３３】
またこの時、縮小された第１の表示エリア４ａには血糖値が縮小された状態で表示されるので、使用者は、血糖値の表示を確認しながら操作ボタンを操作することができる。
なお、使用者によっては、この拡大された操作ボタンでも、まだ「操作が行いにくい。」と感じることがある。
そのような時は、図９に示すように、使用者が再び、親指と人差し指を第２の表示エリア４ｂに同時に当接させ、親指と人差し指を押し広げる動作を行うことにより、制御部６の入力判定部１０がこの動作を拡大指示と判定する。すると、図１０に示すように、すでに拡大されている第２の表示エリア４ｂの範囲内で、操作ボタンが拡大されて表示される。
【００３４】
このため、使用者は、拡大されたボタンを容易に操作することができる。
一方、このように拡大を繰り返すと、操作ボタンが大きく表示され操作性が良くなるのであるが、操作ボタンの表記文字が見えにくくなる時がある。
このような時は、図１１に示すように、使用者が、たとえば人差し指を第２の表示エリア４ｂに当接させ、この人差し指を、操作ボタンを移動させたい方向に動かすと、制御部６の入力判定部１０がこの動作をスクロール指示と判定する。
【００３５】
このスクロール指示が判定されると、制御部６は、たとえば図１２に示す状態へと、操作ボタンのスクロールを行う。このため、使用者は、適切な位置にスクロールされた操作ボタンの表記文字を判別することができる。
なお、このスクロールは、すでに拡大されている第２の表示エリア４ｂのエリア内で行われるので、測定者が操作ボタンを操作する時に、使用者の指などが、血液が点着された血糖値センサ２に触れることはなく、その結果として使い勝手の良い生体試料測定装置を提供することができる。
【００３６】
このスクロールの結果、操作ボタンの一部（たとえば図１２においては、操作ボタンの左側）が第２の表示エリア４ｂのエリア外となり、表示されないことがある。このような状態では、拡大された操作ボタンの一部が消えた状態となり、一瞬、違和感を覚えることがある。
しかしながら、本実施の形態においては、このように拡大された操作ボタンの一部が消えた状態となる時には、縮小した第１の表示エリア４ａと拡大した第２の表示エリア４ｂの間に、破線で境界認識線１３を表示させる。
【００３７】
このため、使用者は、この境界認識線１３を見て、操作ボタンが拡大表示中であることを認識することができるとともに、この境界認識線１３を境にして、拡大された操作ボタンの一部が消えた状態となっていることを認識することができる。
したがって、使用者は、操作ボタンの消えた状態による違和感を、感じることがない。
さらに本実施の形態においては、操作ボタン拡大モード中に、本体ケース１の姿勢が左右反転したことを加速度センサ８が検知した時には、操作ボタン拡大モードを終了し、縮小した第１の表示エリア４ａを元の大きさに拡大するとともに、拡大した第２の表示エリア４ｂを元の大きさに縮小する構成とした。
【００３８】
使用者が、図１２に示す操作ボタン拡大モードの状態から、図１３に示す状態へと、本体ケース１の姿勢を反転させると、第１の表示エリア４ａと第２の表示エリア４ｂの大きさが元の状態に戻される。
そして、制御部６は、図１３に示すように、まず測定値である血糖値の表示を１８０度回転するとともに元の大きさに戻して第１の表示エリア４ａに表示される。
【００３９】
その後、所定時間が経過すると、制御部６は、図１４に示すように、操作ボタンを第２の表示エリア４ｂに徐々に表示させる。この時、操作ボタンは、１８０度回転させられるとともに元の大きさに戻されて表示される。
このため、使用者は、本体ケース１の姿勢を反転させる動作を行うだけで、操作ボタン拡大モードから元の表示状態に戻すことができ、簡単に元の表示状態に戻すことができる、使い勝手の良い生体試料測定装置を提供することができる。
【００４０】
なお、この図１４に示すように、第１の表示エリア４ａでは、血糖値と読み取り方向を示すマーカ（図１４における＜ｍｇ／ｄＬ＞の表記）は１８０度回転された状態で表示されるが、操作ボタンの種類を説明する表記（図１４における＜食後＞の表記）は、１８０度回転させられた後、操作ボタンの近傍に移動させられて表示される。図６では＜食後＞の表記は第１の表示エリア４ａの右上に配置されているが、本体ケース１の姿勢を反転させた図１４では＜食後＞の表記は第１の表示エリア４ａの左上に配置されている。しかし、図６の場合でも、図１４の場合でも＜食後＞の表記は、第２の表示エリア４ｂに表示された操作ボタンの近くに配置されているので、操作ボタンの操作が容易に行える。
【産業上の利用可能性】
【００４１】
以上説明したように、本発明は、たとえば、血液から血糖値などの生体情報を測定する生体試料測定装置として、広く活用が期待されるものである。
【符号の説明】
【００４２】
１  本体ケース
２  血糖値センサ（生体試料検出センサの一例）
３  センサ装着部
４  表示部
４ａ  第１の表示エリア
４ｂ  第２の表示エリア
５  測定部
６  制御部
７  電源
８  加速度センサ
９  点着部
１０  入力判定部
１１  表示制御部
１２  手
１３  境界認識線
【図１Ａ】
0005925941.tif 000002
【図１Ｂ】
0005925941.tif 000003
【図２】
0005925941.tif 000004
【図３】
0005925941.tif 000005
【図４】
0005925941.tif 000006
【図５Ａ】
0005925941.tif 000007
【図５Ｂ】
0005925941.tif 000008
【図５Ｃ】
0005925941.tif 000009
【図６】
0005925941.tif 000010
【図７】
0005925941.tif 000011
【図８】
0005925941.tif 000012
【図９】
0005925941.tif 000013
【図１０】
0005925941.tif 000014
【図１１】
0005925941.tif 000015
【図１２】
0005925941.tif 000016
【図１３】
0005925941.tif 000017
【図１４】
0005925941.tif 000018